【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ボールを打撃するように構成された打撃表面および前記打撃表面とは反対側の内側表面を有するフェース部材と、
前記フェース部材の取付け構造に取外し可能に連結されたフェース板であって、
前記フェース板が、異なる性能特性を試すために異なる応答特性を有する異なるフェース板と相互交換可能である、前記フェース板と、
前記フェース部材に連結され前記フェース部材から後方へ延びる本体部材であって、
前記本体部材が、
空胴と、
前記フェース部材のフレーム部分から後方へ前記ゴルフクラブヘッド上の最後部の点まで延び前記ゴルフクラブヘッドの上部を完全に覆うシェル部材として形成されているクラウン部分と、
前記空胴内に配置されている内部支持構造であって、前記ゴルフクラブヘッドのソールの少なくとも一部分を形成するベース部材と、前記ベース部材に連結された複数のトラス部材とを備えている前記内部支持構造と、を備えており、
前記トラス部材が、前記ベース部材を前記クラウン部分および前記フェース部材に連結し、
前記ベース部材が、略方形の平面の部材であり、複数の重りポートを備えており、
前記ベース部材の前端部が、第１の距離を画定する空隙によって前記フェース部材から分離されている、前記本体部材と、
前記複数の重りポートの間で相互交換可能である複数の重り部材であって、前記複数の重り部材の少なくとも１つが、少なくとも１つの他の重り部材とは異なる重さであり、前記複数の重りポートの間で前記複数の重り部材を相互交換することで、前記ゴルフクラブヘッドの重量構成を変化させるように構成されている、前記複数の重り部材と、を備えており、
前記ゴルフクラブヘッドを上から見たときに、前記内部支持構造が見えないようになっており、
前記内部支持構造が、
前記ベース部材を前記フェース部材の底部部分に連結するように前記ベース部材から前記フェース部材の前記底部部分へ延びる第１のトラス部材と、
前記ベース部材を前記フェース部材の上部部分に連結するように前記ベース部材から前記フェース部材の前記上部部分へ延びる第２のトラス部材と、
前記ベース部材を前記クラウン部分に連結するように前記ベース部材から後方へ前記クラウン部分の後部部分まで延びる第３のトラス部材と、を備えている、
ゴルフクラブヘッド。
【請求項２】
前記本体部材が、前記内部支持構造によって支持された１つまたは複数の本体パネルをさらに含み、前記１つまたは複数の本体パネルが、前記ゴルフクラブヘッドのヒール、トゥ、後部、および前記ソールの部分を形成し、前記クラウン部分および前記１つまたは複数の本体パネルがともに、前記ゴルフクラブヘッドの囲まれた容積を画定する、請求項１に記載のゴルフクラブヘッド。
【請求項３】
前記本体部材の前記ベース部材と前記クラウン部分との間に、少なくとも１つの開口が画定される、請求項１に記載のゴルフクラブヘッド。
【請求項４】
前記内部支持構造が、
前記ベース部材を前記フェース部材の前記底部部分に連結するように前記ベース部材から前記フェース部材の前記底部部分へ延びる第１の一対のトラス部材と、
前記ベース部材を前記フェース部材の前記上部部分に連結するように前記ベース部材から前記フェース部材の前記上部部分へ延びる第２の一対のトラス部材と、
前記ベース部材を前記クラウン部分に連結するように前記ベース部材から後方へ前記クラウン部分の後部部分まで延びる第３の一対のトラス部材と、をさらに備える、請求項１に記載のゴルフクラブヘッド。
【請求項５】
前記第１の一対のトラス部材が、前記ベース部材の前部から前方へ延び、前記第２の一対のトラス部材が、前記ベース部材の後部から上方および前方へ延び、前記第３の一対のトラス部材が、前記ベース部材の前記後部から上方および後方へ延びる、請求項４に記載のゴルフクラブヘッド。
【請求項６】
前記重りポートが、前記ゴルフクラブヘッドの外部に露出され、それにより、前記重り部材を前記ゴルフクラブヘッドの前記外部から前記重りポート内へ挿入することができる、請求項１に記載のゴルフクラブヘッド。
【請求項７】
前記ベース部材が、前後方向に位置合わせされた３つの重りポートを含む、請求項１に記載のゴルフクラブヘッド。
【請求項８】
前記ベース部材が、前記複数のトラス部材によって直接かつ単独で支持される、請求項１に記載のゴルフクラブヘッド。
【請求項９】
前記フェース板が、複数の締結具によって前記取付け構造に取外し可能に連結され、前記締結具が、前記フェース板に対する前記締結具の連結および前記フェース板からの前記締結具の取外しのために前記フェース板の後部側からアクセス可能である、請求項１に記載のゴルフクラブヘッド。
【請求項１０】
前記フェース部材の前記フレーム部分が、前記打撃表面から後方へ延び前記ソールの一部分を形成する壁をさらに備える、請求項１に記載のゴルフクラブヘッド。
【請求項１１】
前記取付け構造が、前記フェース部材の前記フレーム部分内に凹部を備え、前記フェース板が、前記凹部内に受け入れられる、請求項１に記載のゴルフクラブヘッド。
【請求項１２】
前記フェース板が、複数の締結具によって前記凹部内の凹状表面に取外し可能に連結される、請求項１１に記載のゴルフクラブヘッド。
【請求項１３】
前記取付け構造が、前記凹部内に複数の受け部を有し、前記フェース板が、複数のペグを備え、各ペグが、前記受け部の１つの中に受け入れられる、請求項１１に記載のゴルフクラブヘッド。
【請求項１４】
前記フェース板を前記フレーム部分に連結するように、前記ペグに複数の締結具が連結される、請求項１３に記載のゴルフクラブヘッド。
【請求項１５】
前記フレーム部分が、前記凹部内に位置して前記フレーム部分を完全に貫通する開口を有し、前記フェース板が前記開口を覆う、請求項１１に記載のゴルフクラブヘッド。
【請求項１６】
前記本体部材のソール部分内に開口をさらに備えており、前記開口が、解放可能なシャフト相互連結構造への連結のために構成されている、請求項１に記載のゴルフクラブヘッド。
【手続補正２】
【補正対象書類名】明細書
【補正対象項目名】００６３
【補正方法】変更
【補正の内容】
【００６３】
本発明について、本発明を実施する現在好ましい形態を含む特有の例に関して説明したが、前述のシステムおよび方法の多数の変形および並べ替えがあることが、当業者には理解されよう。したがって、本発明の精神および範囲は、添付の特許請求の範囲に記載の通り広く解釈されたい。
以下の項目は、国際出願時の特許請求の範囲に記載の要素である。
［項目１］
ボールを打撃するように構成された打撃表面および前記打撃表面とは反対側の内側表面を有するフェース部材と、
前記フェース部材に連結され、前記フェース部材から後方へ延び、クラウン部分および支持構造を含む本体部材とを備え、
前記フェース部材が、前記支持構造に連結され、前記打撃表面の外周部の少なくとも一部分を形成し、取付け構造を有するフレーム部分と、前記打撃表面の中心領域の少なくとも一部分を形成するように前記取付け構造に取外し可能に連結されたフェース板とを備え、
前記支持構造が、前記ヘッドのソールの少なくとも一部分を形成するベース部材と、前記ベース部材に連結された複数のトラス部材とを備え、前記トラス部材が、前記ベース部材を前記クラウン部分および前記フェース部材の前記フレーム部分に連結する、
ゴルフクラブヘッド。
［項目２］
前記本体部材が、前記支持構造によって支持された１つまたは複数の本体パネルをさらに含み、前記１つまたは複数の本体パネルが、前記ヘッドのヒール、トゥ、後部、および前記ソールの部分を形成し、前記クラウン部分および前記１つまたは複数の本体パネルがともに、前記クラブヘッドの囲まれた容積を画定する、項目１に記載のゴルフクラブヘッド。
［項目３］
前記クラウン部分が、前記フェース部材の前記フレーム部分から後方へ前記クラブヘッド上の最後部の点まで延び前記クラブヘッドの上部を完全に覆うシェル部材を備える、項目１に記載のゴルフクラブヘッド。
［項目４］
前記本体部材の前記ベース部材と前記クラウン部分との間に、少なくとも１つの開口が画定される、項目１に記載のゴルフクラブヘッド。
［項目５］
前記ベース部分が重りポートを備え、前記重りポート内に重り部材が受け入れられる、項目１に記載のゴルフクラブヘッド。
［項目６］
前記ベース部分は、複数の重りポートを備え、前記複数の重りポート内に、少なくとも１つの重り部材が受け入れられ、前記少なくとも１つの重り部材が、前記複数の重りポートの間で相互交換可能である、項目１に記載のゴルフクラブヘッド。
［項目７］
前記複数の重りポートの間で相互交換可能である複数の重り部材をさらに備え、前記重り部材の少なくとも１つが、少なくとも１つの他の重り部材とは異なる重さであり、それにより、前記重りポートの間で前記複数の重り部材を相互交換することで、前記ヘッドの加重構成を変化させるように構成される、項目６に記載のゴルフクラブヘッド。
［項目８］
前記フェース板が、複数の締結具によって前記取付け構造に取外し可能に連結され、前記締結具が、前記フェース板に対する前記締結具の連結および前記フェース板からの前記締結具の取外しのために前記フェース板の後部側からアクセス可能である、項目１に記載のゴルフクラブヘッド。
［項目９］
前記フェース部材の前記フレーム部分が、前記打撃表面から後方へ延び前記ソールの一部分を形成する壁をさらに備える、項目１に記載のゴルフクラブヘッド。
［項目１０］
前記取付け構造が、前記フェース部材の前記フレーム部分内に凹部を備え、前記フェース板が、前記凹部内に受け入れられる、項目１に記載のゴルフクラブヘッド。
［項目１１］
前記フェース板が、複数の締結具によって前記凹部内の凹状表面に取外し可能に連結される、項目１０に記載のゴルフクラブヘッド。
［項目１２］
前記取付け構造が、前記凹部内に複数の受け部を有し、前記フェース板が、複数のペグを備え、各ペグが、前記受け部の１つの中に受け入れられる、項目１０に記載のゴルフクラブヘッド。
［項目１３］
前記フェース板を前記フレーム部分に連結するように、前記ペグに複数の締結具が連結される、項目１２に記載のゴルフクラブヘッド。
［項目１４］
前記フレーム部分が、前記凹部内に位置して前記フレーム部分を完全に貫通する開口を有し、前記フェース板が前記開口を覆う、項目１０に記載のゴルフクラブヘッド。
［項目１５］
ボールを打撃するように構成された打撃表面および前記打撃表面とは反対側の内側表面を有するフェース部材であって、
前記打撃表面の外周部の少なくとも一部分を形成するフレーム部分であって、前記フェース部材の前記フレーム部分内の凹部と、前記凹部内の複数の受け部とを含む取付け構造を有し、前記凹部内に位置して前記フレーム部分を完全に貫通する開口を有するフレーム部分、
前記凹部内に受け入れられ、前記取付け構造に連結され、前記フレーム部分内の前記開口を覆うように前記打撃表面の中心領域の少なくとも一部分を形成するフェース板であって、複数のペグを備え、各ペグが、前記受け部の１つの中に受け入れられる、フェース板、ならびに
前記フェース板を前記フレーム部分に連結するように、前記ペグに連結された複数の締結具を備える前記フェース部材と、
前記フェース部材に連結され、前記フェース部材から後方へ延びる本体部材とを備える、
ゴルフクラブヘッド。
［項目１６］
前記フェース部材の前記フレーム部分が、前記打撃表面から後方へ延び前記ソールの一部分を形成する壁をさらに備える、項目１５に記載のゴルフクラブヘッド。
［項目１７］
前記本体部材が、クラウン部分および支持構造を含み、前記支持構造が、前記ヘッドのソールの少なくとも一部分を形成するベース部材と、前記ベース部材に連結された複数のトラス部材とを備え、前記トラス部材が、前記ベース部材を前記クラウン部分および前記フェース部材の前記フレーム部分に連結する、項目１５に記載のゴルフクラブヘッド。
［項目１８］
前記本体部材が、前記支持構造によって支持された１つまたは複数の本体パネルをさらに含み、前記１つまたは複数の本体パネルが、前記ヘッドのヒール、トゥ、後部、および前記ソールの部分を形成し、前記クラウン部分および前記１つまたは複数の本体パネルがともに、前記クラブヘッドの囲まれた容積を画定する、項目１７に記載のゴルフクラブヘッド。
［項目１９］
前記本体部材の前記ベース部材と前記クラウン部分との間に、少なくとも１つの開口が画定される、項目１７に記載のゴルフクラブヘッド。
［項目２０］
前記ベース部分が重りポートを備え、前記重りポート内に重り部材が受け入れられる、項目１７に記載のゴルフクラブヘッド。
［項目２１］
前記フェース部材に連結された調整可能なホーゼル構造をさらに備え、前記調整可能なホーゼル構造が、シャフトに連結するように構成される、項目１５に記載のゴルフクラブヘッド。
［項目２２］
ボールを打撃するように構成された打撃表面および前記打撃表面とは反対側の内側表面を有するフェース部材と、
前記フェース部材に連結され、前記フェース部材から後方へ延びる本体部材であって、
前記フェース部材のフレーム部分から後方へ前記クラブヘッド上の最後部の点まで延び前記クラブヘッドの上部を完全に覆うシェル部材として形成されたクラウン部分、ならびに
前記ヘッドのソールの少なくとも一部分を形成するベース部材、および前記ベース部材に連結された複数のトラス部材を備え、前記トラス部材が、前記ベース部材を前記クラウン部分および前記フェース部材に連結し、前記ベース部分が複数の重りポートを備える、支持構造を備える前記本体部材と、
前記複数の重りポートの間で相互交換可能である複数の重り部材であって、前記重り部材の少なくとも１つが、少なくとも１つの他の重り部材とは異なる重さであり、それにより、前記重りポートの間で前記複数の重り部材を相互交換することで、前記ヘッドの加重構成を変化させるように構成される、重り部材と
を備えるゴルフクラブヘッド。
［項目２３］
前記本体部材が、前記支持構造によって支持された１つまたは複数の本体パネルをさらに含み、前記１つまたは複数の本体パネルが、前記ヘッドのヒール、トゥ、後部、および前記ソールの部分を形成し、前記クラウン部分および前記１つまたは複数の本体パネルがともに、前記クラブヘッドの囲まれた容積を画定する、項目２２に記載のゴルフクラブヘッド。
［項目２４］
前記本体部材の前記ベース部材と前記クラウン部分との間に、少なくとも１つの開口が画定される、項目２２に記載のゴルフクラブヘッド。
［項目２５］
前記支持構造が、
前記ベース部材を前記フェース部材の前記底部部分に連結するように前記ベース部材から前記フェース部材の底部部分へ延びる第１の一対のトラス部材と、
前記ベース部材を前記フェース部材の前記上部部分に連結するように前記ベース部材から前記フェース部材の上部部分へ延びる第２の一対のトラス部材と、
前記ベース部材を前記クラウン部分に連結するように前記ベース部材から後方へ前記クラウン部分の後部部分まで延びる第３の一対のトラス部材とをさらに備える、項目２２に記載のゴルフクラブヘッド。
［項目２６］
前記第１の一対のトラス部材が、前記ベース部分の前部から前方へ延び、前記第２の一対のトラス部材が、前記ベース部分の後部から上方および前方へ延び、前記第３の一対のトラス部材が、前記ベース部分の前記後部から上方および後方へ延びる、項目２２に記載のゴルフクラブヘッド。
［項目２７］
前記支持構造が、
前記ベース部材を前記フェース部材の前記底部部分に連結するように前記ベース部材から前記フェース部材の底部部分へ延びる第１のトラス部材と、
前記ベース部材を前記フェース部材の前記上部部分に連結するように前記ベース部材から前記フェース部材の上部部分へ延びる第２のトラス部材と、
前記ベース部材を前記クラウン部分に連結するように前記ベース部材から後方へ前記クラウン部分の後部部分まで延びる第３のトラス部材とをさらに備える、項目２２に記載のゴルフクラブヘッド。
［項目２８］
前記重りポートが、前記クラブヘッドの外部に露出され、それにより、前記重り部材を前記クラブヘッドの前記外部から前記重りポート内へ挿入することができる、項目２２に記載のゴルフクラブヘッド。
［項目２９］
前記ベース部分が、前後方向に位置合わせされた３つの重りポートを含む、項目２２に記載のゴルフクラブヘッド。
［項目３０］
前記ベース部材が、前記複数のトラス部材によって直接かつ単独で支持される、項目２２に記載のゴルフクラブヘッド。